(57)【要約】【課題】装置の小型化を図った上で、符号化パラメータの異なる２つの映像信号を符号化できるようにする。【解決手段】実施形態による映像蓄積装置は、バッファと、エンコーダと、制御部と、パラメータ設定部とを備える。バッファは、第１の映像信号及び第２の映像信号を格納する。エンコーダは、１フレームの映像再生に要する再生速度の整数倍となる倍速で動作するもので、このバッファの出力をセットされた符号化パラメータで符号化して符号化データを蓄積部に出力する。制御部は、バッファに格納された第１の映像信号及び第２の映像信号を、倍速でフレームごとに交互に読み出し出力する。パラメータ設定部は、エンコーダに設けられ、エンコーダによる第１の映像信号の符号化時に第１の映像信号に対応する符号化パラメータを取得してエンコーダにセットし、第１の映像信号の符号化終了時に第２の映像信号に対応する符号化パラメータを取得してエンコーダにセットする。【選択図】      図１
2014175945.tif 000002
【特許請求の範囲】
【請求項１】
符号化するために必要な符号化パラメータが互いに異なる第１の映像信号及び第２の映像信号をそれぞれ符号化して蓄積部に格納する映像蓄積装置において、
前記第１の映像信号及び前記第２の映像信号を格納するバッファと、
１フレーム分の映像再生に要する再生速度の整数倍となる倍速で動作するもので、前記バッファの出力をセットされた符号化パラメータで符号化して符号化データを前記蓄積部に出力するエンコーダと、
前記バッファに格納された前記第１の映像信号及び第２の映像信号を、前記倍速でフレームごとに交互に読み出し出力する制御部と、
前記エンコーダに設けられ、前記エンコーダによる前記第１の映像信号の符号化時に前記第１の映像信号に対応する符号化パラメータを取得して前記エンコーダにセットし、前記第１の映像信号の符号化終了時に第２の映像信号に対応する符号化パラメータを取得して前記エンコーダにセットするパラメータ設定部とを具備することを特徴とする映像蓄積装置。
【請求項２】
前記制御部は、前記第１の映像信号に対応する符号化パラメータ及び前記第２の映像信号に対応する符号化パラメータを生成するパラメータ生成部を備え、
前記パラメータ設定部は、前記制御部との通信により前記制御部から前記第１の映像信号に対応する符号化パラメータ及び前記第２の映像信号に対応する符号化パラメータを取得し交互にセットすることを特徴とする請求項１記載の映像蓄積装置。
【請求項３】
さらに、前記制御部とは別に、前記第１の映像信号に対応する符号化パラメータ及び前記第２の映像信号に対応する符号化パラメータを記憶し、前記バッファから出力される前記第１の映像信号及び前記第２の映像信号の発生タイミングで前記第１の映像信号に対応する符号化パラメータ及び前記第２の映像信号に対応する符号化パラメータを交互に発生するパラメータ格納部を備え、
前記パラメータ設定部は、前記エンコーダによる前記第１の映像信号の符号化時に前記第１の映像信号に対応する符号化パラメータを前記パラメータ格納部から受信して前記エンコーダにセットし、前記第１の映像信号の符号化終了時に第２の映像信号に対応する符号化パラメータを前記パラメータ格納部から受信して前記エンコーダにセットすることを特徴とする請求項１記載の映像蓄積装置。
【請求項４】
前記第１の映像信号及び前記第２の映像信号は、映像信号及びキー信号であることを特徴とする請求項１記載の映像蓄積装置。
【請求項５】
符号化するために必要な符号化パラメータが互いに異なる第１の映像信号及び第２の映像信号をそれぞれ符号化して蓄積部に格納し、前記蓄積部に格納された符号化データを再生出力する映像蓄積再生装置において、
前記第１の映像信号及び前記第２の映像信号を格納する第１のバッファと、
１フレーム分の映像再生に要する再生速度の整数倍となる倍速で動作するもので、前記第１のバッファの出力をセットされた符号化パラメータで符号化して第１の符号化データ及び第２の符号化データを前記蓄積部に出力するエンコーダと、
前記倍速で動作するもので、前記蓄積部から出力される前記第１の符号化データを前記第１の映像信号に復号し、前記第２の符号化データを前記第２の映像信号に復号するデコーダと、
このデコーダの出力を格納し出力する第２のバッファと、
前記第１のバッファに格納された前記第１の映像信号及び第２の映像信号を、前記倍速でフレームごとに交互に読み出し出力し、前記蓄積部に格納された前記第１の符号化データ及び前記第２の符号化データを前記倍速でフレームごとに交互に読み出し出力し、前記第２のバッファに格納された前記第１の映像信号及び第２の映像信号を前記再生速度で並行して読み出し出力する制御部と、
前記エンコーダに設けられ、前記エンコーダによる前記第１の映像信号の符号化時に前記第１の映像信号に対応する符号化パラメータを取得して前記エンコーダにセットし、前記第１の映像信号の符号化終了時に第２の映像信号に対応する符号化パラメータを取得して前記エンコーダにセットするパラメータ設定部とを具備することを特徴とする映像蓄積再生装置。
【請求項６】
前記制御部は、前記第１の映像信号に対応する符号化パラメータ及び前記第２の映像信号に対応する符号化パラメータを生成するパラメータ生成部を備え、
前記パラメータ設定部は、前記制御部との通信により前記制御部から前記第１の映像信号に対応する符号化パラメータ及び前記第２の映像信号に対応する符号化パラメータを取得し交互にセットすることを特徴とする請求項５記載の映像蓄積再生装置。
【請求項７】
さらに、前記制御部とは別に、前記第１の映像信号に対応する符号化パラメータ及び前記第２の映像信号に対応する符号化パラメータを記憶し、前記第１のバッファから出力される前記第１の映像信号及び前記第２の映像信号の発生タイミングで前記第１の映像信号に対応する符号化パラメータ及び前記第２の映像信号に対応する符号化パラメータを交互に発生するパラメータ格納部を備え、
前記パラメータ設定部は、前記エンコーダによる前記第１の映像信号の符号化時に前記第１の映像信号に対応する符号化パラメータを前記パラメータ格納部から受信して前記エンコーダにセットし、前記第１の映像信号の符号化終了時に第２の映像信号に対応する符号化パラメータを前記パラメータ格納部から受信して前記エンコーダにセットすることを特徴とする請求項５記載の映像蓄積再生装置。
【請求項８】
前記第１の映像信号及び前記第２の映像信号は、映像信号及びキー信号であることを特徴とする請求項５記載の映像蓄積再生装置。
【請求項９】
符号化するために必要な符号化パラメータが互いに異なる第１の映像信号及び第２の映像信号をそれぞれ符号化して蓄積部に格納する映像蓄積方法において、
前記第１の映像信号及び前記第２の映像信号をバッファに格納し、
前記バッファに格納された前記第１の映像信号及び第２の映像信号を、１フレーム分の映像再生に要する再生速度の整数倍となる倍速でフレームごとに交互に読み出し出力し
前記バッファの出力を、前記倍速で動作するエンコーダにセットされた符号化パラメータで符号化して前記蓄積部に出力し、
前記エンコーダによる前記第１の映像信号の符号化時に前記第１の映像信号に対応する符号化パラメータを取得して前記エンコーダにセットし、前記第１の映像信号の符号化終了時に第２の映像信号に対応する符号化パラメータを取得して前記エンコーダにセットすることを特徴とする映像蓄積方法。
【請求項１０】
符号化するために必要な符号化パラメータが互いに異なる第１の映像信号及び第２の映像信号をそれぞれ符号化して蓄積部に格納し、前記蓄積部に格納された符号化データを再生出力する映像蓄積再生方法において、
前記第１の映像信号及び前記第２の映像信号を第１のバッファに格納し、
前記第１のバッファに格納された前記第１の映像信号及び第２の映像信号を、１フレーム分の映像再生に要する再生速度の整数倍となる倍速でフレームごとに交互に読み出し出力し、
前記第１のバッファの出力を、前記倍速で動作するエンコーダにセットされた符号化パラメータで符号化して第１の符号化データ及び第２の符号化データを前記蓄積部に出力し、
前記蓄積部に格納された前記第１の符号化データ及び前記第２の符号化データを前記倍速でフレームごとに交互に読み出し出力し、
前記蓄積部から出力される前記第１の符号化データを前記倍速で動作するデコーダにより前記第１の映像信号に復号し、前記第２の符号化データを前記デコーダにより前記第２の映像信号に復号し、
このデコーダの出力を第２のバッファに格納し、
前記第２のバッファに格納された前記第１の映像信号及び第２の映像信号を前記再生速度で並行して読み出し出力し、
前記エンコーダによる前記第１の映像信号の符号化時に前記第１の映像信号に対応する符号化パラメータを取得して前記エンコーダにセットし、前記第１の映像信号の符号化終了時に第２の映像信号に対応する符号化パラメータを取得して前記エンコーダにセットすることを特徴とする映像蓄積再生方法。
【発明の詳細な説明】
【技術分野】
【０００１】
本発明の実施形態は、映像信号、キー信号といった符号化パラメータの異なる２つの映像信号を符号化して蓄積装置に格納する映像蓄積装置、映像蓄積再生装置、映像蓄積方法、映像蓄積再生方法に関する。
【背景技術】
【０００２】
周知のように、映像編集システムにおいては、映像信号中から例えば文字や人物といったキャラクタ映像信号を抽出し、このキャラクタ映像を他の背景画像に合成するような映像合成技術が用いられている。この映像合成技術においては、映像信号に付加情報（提供会社名、番組名）を重畳するために、付加情報信号の輝度・色成分から付加情報のエリアを抽出して、映像信号に重畳する方法を採用している。また、映像合成技術においては、合成された映像のエッジ部分が不自然に見えてしまわないように、合成された映像のエッジ部分を滑らかにするためのエリア信号（キー信号）を用いている。
【０００３】
また、放送局内で使用されるＶＡＦ(Video Audio File)サーバでは、映像信号、音声信号及びキー信号をそれぞれエンコーダにより同時に符号化して蓄積装置に一旦格納しておき、自動番組送出制御装置（ＡＰＣ）からの指示に従って該当する映像信号、音声信号及びキー信号を再生し、オンエアを行うようになっている。
【０００４】
ところで、キー信号は輝度信号のみで色信号を含まない。また、圧縮率を高めても劣化が分かりにくい。したがって、符号化するときの符号化パラメータは、映像信号とキー信号で変えることが考えられている。Vyを映像の輝度信号の符号量、Vcを映像の色信号の符号量、Kyをキーの輝度信号の符号量、Kcをキーの色信号の符号量とすると、たとえば、Vy:Vc:Ky:Kc=2:1:1:0の比率で割り当てるようにすると全体の符号量を少なくでき、蓄積できる時間を延ばすことができる。
【先行技術文献】
【特許文献】
【０００５】
【特許文献１】特開２００５−６４５７５号公報
【発明の概要】
【発明が解決しようとする課題】
【０００６】
ところで、上記ＶＡＦサーバでは、映像信号用とキー信号用のエンコーダ・デコーダが別々に必要になり、これにより装置全体の規模が大きくなる。
【０００７】
本発明の目的は、装置の小型化を図った上で、符号化パラメータの異なる２つの映像信号を符号化し得る映像蓄積装置、映像蓄積再生装置、映像蓄積方法及び映像蓄積再生方法を提供することにある。
【課題を解決するための手段】
【０００８】
実施形態によれば映像蓄積装置は、符号化するために必要な符号化パラメータが互いに異なる第１の映像信号及び第２の映像信号をそれぞれ符号化して蓄積部に格納する映像蓄積装置を対象とし、バッファと、エンコーダと、制御部と、パラメータ設定部とを備える。バッファは、第１の映像信号及び前記第２の映像信号を格納する。エンコーダは、１フレームの映像再生に要する再生速度の整数倍となる倍速で動作するもので、このバッファの出力をセットされた符号化パラメータで符号化して符号化データを蓄積部に出力する。制御部は、バッファに格納された第１の映像信号及び第２の映像信号を、倍速でフレームごとに交互に読み出し出力する。パラメータ設定部は、エンコーダに設けられ、エンコーダによる第１の映像信号の符号化時に第１の映像信号に対応する符号化パラメータを取得してエンコーダにセットし、第１の映像信号の符号化終了時に第２の映像信号に対応する符号化パラメータを取得してエンコーダにセットする。
【図面の簡単な説明】
【０００９】
【図１】第１の実施形態に係る映像蓄積再生装置の構成を示すブロック図。
【図２】本第１の実施形態で扱う映像信号及びキー信号のタイミング図。
【図３】本第１の実施形態における収録時の制御部の制御処理手順を示すフローチャート。
【図４】本第１の実施形態における再生時の制御部の制御処理手順を示すフローチャート。
【図５】第２の実施形態に係る映像蓄積再生装置の構成を示すブロック図。
【図６】映像蓄積再生装置の比較例を示すブロック図。
【発明を実施するための形態】
【００１０】
以下、実施の形態について、図面を参照して説明する。
【００１１】
（第１の実施形態）  
図１は、第１の実施形態に係る映像蓄積再生装置の構成を示すブロック図である。
【００１２】
この映像蓄積再生装置では、符号化パラメータが異なる映像信号、キー信号、音声信号が入力され、映像信号とキー信号は第１のバッファ１１に格納される。第１のバッファ１１は、制御部１２により通常の再生速度の２倍となる２倍速で読み出し制御されて、映像信号及びキー信号をフレームごとに交互に出力する。第１のバッファ１１から出力された映像信号及びキー信号は、音声信号とともに２倍速で動作するエンコーダ１３で、Vy:Vc=2:1，Ky:Kc=1:0，画像フォーマット等といった符号化パラメータに従い符号化されて蓄積装置１４に収録される。
【００１３】
制御部１２は、第１のバッファ１１に対して書き込み指示と読み出し指示をする。また、制御部１２は、パラメータ生成部１２１を備えている。パラメータ生成部１２１は、第１のバッファ１１が映像信号を読み出しているときはエンコーダ１３に対して映像信号用の符号化パラメータ（例えば、Vy:Vc=2:1）を生成し、キー信号を読み出しているときはキー信号用の符号化パラメータ（例えば、Ky:Kc=1:0）を生成する。さらに、制御部１２は蓄積装置１４に対して収録情報の設定を行う。
【００１４】
ところで、上記エンコーダ１３には、パラメータ設定部１３１が設けられる。パラメータ設定部１３１は、エンコーダ１３による映像信号の符号化時に映像信号に対応する符号化パラメータを制御部１２から取得してエンコーダ１３にセットし、映像信号の符号化終了時に符号化終了の旨を制御部１２に通知し、キー信号に対応する符号化パラメータを制御部１２から取得してエンコーダ１３にセットする。
【００１５】
再生時に、制御部１２は、蓄積装置１４に対して収録情報を指定して読み出し開始の指示を行う。蓄積装置から２倍速で出力されたデータは、２倍速で動作するデコーダ１５で映像・音声・キー信号にデコードされ、このうち映像・キー信号は第２のバッファ１６に格納される。制御部１２は、第２のバッファ１６に対して映像・キー信号を２倍速で書き込み、及び通常の速度で読み出しを行うように書き込み指示と読み出し指示を行う。すると、第２のバッファ１６は映像信号とキー信号を並列に読み出し出力する。
【００１６】
次に、上記構成における動作について図２を参照して説明する。  
第１のバッファ１１には、図２（ａ）に示す映像信号及び図２（ｂ）に示すキー信号が入力され、格納される。
【００１７】
一方、制御部１２は、図示しない上位システムから収録指示を受信すると、図３に示す制御処理手順を開始する。まず、制御部１２は、第１のバッファ１１から映像信号を２倍速で読み出し（ステップＳＴ３ａ）、図２（ｃ）に示す映像用の符号化パラメータを生成し、エンコーダ１３へ送出する（ステップＳＴ３ｂ）。そして、制御部１２は、エンコーダ１３から１フレーム分の映像信号（映像１）の符号化終了の旨が通知されるか否かを監視しており（ステップＳＴ３ｃ）、符号化終了の旨が通知された場合に（Ｙｅｓ）、第１のバッファ１１からキー信号を２倍速で読み出し（ステップＳＴ３ｄ）、図２（ｃ）に示すキー用の符号化パラメータを生成し、エンコーダ１３へ送出する（ステップＳＴ３ｅ）。
【００１８】
以後、制御部１２は、エンコーダ１３から１フレーム分のキー信号（キー１）の符号化終了の旨が通知されるか否かを監視しており（ステップＳＴ３ｆ）、符号化終了の旨が通知された場合に（Ｙｅｓ）、上記ステップＳＴ３ａの処理に移行して、次フレームの映像信号（映像２）以降についても上記ステップＳＴ３ａ乃至ステップＳＴ３ｆの処理を繰り返し実行する。
【００１９】
すると、エンコーダ１３から図２（ｄ）に示す符号化データが出力され、蓄積装置１４に格納されることになる。すなわち、エンコーダ１３は、映像信号の１フレーム（約３３ｍｓ）期間内で映像符号化データ（映像１符号化）と映像用の符号化パラメータの生成時間及びキー用の符号化パラメータの生成時間を空けてキー符号化データ（キー１符号化）とを出力する。
【００２０】
また、制御部１２は、図示しない上位システムから再生指示を受信すると、図４に示す制御処理手順を開始する。まず、制御部１２は、蓄積装置１４から映像符号化データ（映像１符号化）を２倍速で読み出してデコーダ１５に出力し（ステップＳＴ４ａ）、しかる後にデコーダ１５から映像符号化データ（映像１符号化）の復号終了の旨が通知されるか否かを監視する（ステップＳＴ４ｂ）。そして、復号終了の旨が通知された場合に（Ｙｅｓ）、蓄積装置１４からキー符号化データ（キー１符号化）を２倍速で読み出してデコーダ１５に出力し（ステップＳＴ４ｃ）、デコーダ１５からキー符号化データ（キー１符号化）の復号終了の旨が通知されるか否かを監視する（ステップＳＴ４ｄ）。そして、復号終了の旨が通知された場合に（Ｙｅｓ）、制御部１２は上記ステップＳＴ４ａの処理に移行して、次フレームの映像符号化データ（映像２符号化）以降についても上記ステップＳＴ４ａ乃至ステップＳＴ４ｄの処理を繰り返し実行する。
【００２１】
すると、デコーダ１５から図２（ｅ）に示す映像・キー信号が出力され、第２のバッファ１６に格納されることになる。
【００２２】
以後、制御部１２は、第２のバッファ１６に格納された映像・キー信号を通常の再生速度で読み出し出力する。これにより、第２のバッファ１６の出力は、図２（ｆ）、図２（ｇ）に示すようになり、映像信号及びキー信号は互いに同期して出力されることになる。
【００２３】
以上のように上記第１の実施形態では、映像信号及びキー信号を第１のバッファ１１に一旦格納し、制御部１２によって第１のバッファ１１から映像信号及びキー信号を２倍速で出力するようにし、エンコーダ１３によって映像信号の符号化時に映像信号に対応する符号化パラメータを制御部１２から取得してエンコーダ１３にセットし、映像信号の符号化終了時に制御部１２からキー信号に対応する符号化パラメータを取得してエンコーダ１３にセットするようにし、エンコーダ１３により２倍速で符号化された映像符号化データ及びキー符号化データを蓄積装置１４に格納するようにしている。
【００２４】
また、蓄積装置１４から映像符号化データ及びキー符号化データを２倍速で読み出し、デコーダ１５によって２倍速で映像・キー信号に復号し、復号した映像・キー信号を第２のバッファ１６に格納して通常の再生速度で映像信号及びキー信号を並行して読み出し出力するようにしている。
【００２５】
従って、１個のエンコーダ１３を用いて符号化パラメータを交互に切り替えて映像信号及びキー信号を２倍速で符号化し、１個のデコーダ１５を用いて映像符号化データ及びキー符号化データを２倍速で復号することができ、これにより映像蓄積再生装置全体の小型化を図ることができる。
【００２６】
また、上記第１の実施形態によれば、制御部１２に映像信号に対応する符号化パラメータ及びキー信号に対応する符号化パラメータを生成する機能を持たせることで、制御部１２との通信により１個のエンコーダ１３に映像信号を符号化する機能とキー信号を符号化する機能を必要に応じて持たせることができ、これにより新たに符号化パラメータ発生回路を設ける必要がなく、簡単な構成となる。
【００２７】
（第２の実施形態）  
図５は、第２の実施形態に係る映像蓄積再生装置の構成を示すブロック図である。なお、図５において、上記図１と同一部分には同一符号を付して詳細な説明を省略する。
【００２８】
上記第１の実施形態との違いは、パラメータレジスタ１７が追加されている。制御部１２は、パラメータレジスタ１７に映像信号用の符号化パラメータとキー信号用の符号化パラメータを設定しておく。第１のバッファ１１からは映像・キー信号とともにどちらの信号を出力しているか区別する信号も出力され、その信号によりパラメータレジスタ１７からどちらのパラメータをエンコーダ１３に与えるかを切り替える。
【００２９】
エンコーダ１３にはパラメータ設定部１３２が設けられている。パラメータ設定部１３２は、パラメータレジスタ１７から受信したパラメータをエンコーダ１３にセットする。
【００３０】
このようにすると、制御部１２は最初に一回だけ符号化パラメータを設定するだけですむので、制御部１２の処理が軽くなる。
【００３１】
次に、上記構成における動作について説明する。  
制御部１２は、図示しない上位システムから収録指示を受信すると、第１のバッファ１１から映像信号を２倍速で読み出し、エンコーダ１３から１フレーム分の映像信号（映像１）の符号化終了の旨が通知されるか否かを監視し、符号化終了の旨が通知された場合に、第１のバッファ１１からキー信号を２倍速で読み出し、エンコーダ１３から１フレーム分のキー信号（キー１）の符号化終了の旨が通知されるか否かを監視し、符号化終了の旨が通知された場合に、次フレームの映像信号（映像２）以降について同様の処理を繰り返し実行する。
【００３２】
また、制御部１２は、図示しない上位システムから再生指示を受信すると、蓄積装置１４から映像符号化データ（映像１符号化）を２倍速で読み出してデコーダ１５に出力し、しかる後にデコーダ１５から映像符号化データ（映像１符号化）の復号終了の旨が通知されるか否かを監視する。そして、復号終了の旨が通知された場合に、蓄積装置１４からキー符号化データ（キー１符号化）を２倍速で読み出してデコーダ１５に出力し、デコーダ１５からキー符号化データ（キー１符号化）の復号終了の旨が通知されるか否かを監視する。そして、復号終了の旨が通知された場合に、制御部１２は次フレームの映像符号化データ（映像２符号化）以降についても同様の処理を繰り返し実行する。
【００３３】
すると、デコーダ１５から映像・キー信号が出力され、第２のバッファ１６に格納されることになる。以後、制御部１２は、第２のバッファ１６に格納された映像・キー信号を通常の再生速度で読み出し出力する。
【００３４】
すなわち、第２の実施形態の動作の中で、制御部１２が処理を実行するのは、第１のバッファ１１から映像信号及びキー信号を読み出すときと、蓄積装置１４から映像符号化データ及びキー符号化データを読み出すときと、第２のバッファ１６から映像信号及びキー信号を読み出すときだけである。それ以外の時間は外部装置との通信処理などに充てることができる。従って、高性能の制御部を用いずに済む。
【００３５】
以上のように上記第２の実施形態によれば、上記第１の実施形態と同様な作用効果が得られるとともに、映像信号に対応する符号化パラメータ及びキー信号に対応する符号化パラメータを発生する回路をパラメータレジスタ１７といったハードウェア回路で構成することができ、これにより簡単な構成で応答性の優れた符号化パラメータ発生回路を実現できる。
【００３６】
また、制御部１２は、映像信号に対応する符号化パラメータ及びキー信号に対応する符号化パラメータをパラメータレジスタ１７に１回だけ書き込み、他の処理としては第１のバッファ１１から映像信号及びキー信号を読み出すときと、蓄積装置１４から映像符号化データ及びキー符号化データを読み出すときと、第２のバッファ１６から映像信号及びキー信号を読み出すときのみであるので、制御部１２の処理負荷が大幅に軽減される。
【００３７】
（その他の実施形態）  
以上の各実施形態によれば、符号化パラメータが異なる映像信号及びキー信号を第１のバッファ１１に一旦格納し、制御部１２によって第１のバッファ１１から映像信号及びキー信号を２倍速で出力するようにし、エンコーダ１３によって映像信号の符号化時に映像信号に対応する符号化パラメータにセットし、映像信号の符号化終了時にキー信号に対応する符号化パラメータに切り替えるようにしている。
【００３８】
従って、１個のエンコーダ１３を用いて符号化パラメータを交互に切り替えて第１の映像信号及び第２の映像信号を符号化しているので、図６に示すように、映像信号用とキー信号用のエンコーダ２１，２２及びデコーダ２３，２４が別々に必要であった映像蓄積再生装置に比べると、装置全体の小型化を図ることができる。
【００３９】
なお、上記各実施形態では、映像信号及びキー信号を扱う例について説明したが、オンエア用の映像信号及びプレビュー用の映像信号を扱う例であってもよい。この場合、オンエア用の映像信号については符号化パラメータ（例えば、Vy:Vc=2:1）を生成し、プレビュー用の映像信号については符号化パラメータ（例えば、Vy:Vc=1:1）を生成することになる。プレビュー用については、放送局内のオペレータが画像の内容を確認するものであるので、オンエア用に比べて高品質でなくてもよい。
【００４０】
また、上記各実施形態では、２倍速で動作するエンコーダ、デコーダを例に説明したが、入力される映像信号の数に応じて、３倍速または４倍速で動作させることも可能である。この場合、オペレータがエンコーダ、デコーダを調整することになる。
【００４１】
その他、上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【符号の説明】
【００４２】
１１…第１のバッファ、１２…制御部、１３…エンコーダ、１４…蓄積装置、１５…デコーダ、１６…第２のバッファ、１７…パラメータレジスタ、１２１…パラメータ生成部、１３１…パラメータ設定部。
【図１】
2014175945.tif 000003
【図２】
2014175945.tif 000004
【図３】
2014175945.tif 000005
【図４】
2014175945.tif 000006
【図５】
2014175945.tif 000007
【図６】
2014175945.tif 000008